(57)【要約】      （修正有）【課題】患者が、自ら、簡便に扁桃腺窩に溜まった膿栓を吸着して取り除くために用いる膿栓吸着クリーナを提供する。【解決手段】膿栓クリーナは、膿栓を陰圧により吸着又は吸引して除去する膿栓吸引システムと、膿栓を目視で確認するための内視鏡システムと、を備える。膿栓吸引システムは、先端で膿栓を吸着又は吸引する吸着ノズルと、吸着ノズルの他端に一端が連結するカテーテル吸引管と、カテーテル吸引管の他端に一端が連結する吸引ホースと、吸引ホースの他端に連結する陰圧発生装置と、を有する。また、内視鏡システムは、吸着ノズルの先端を照明する照明灯と、吸着ノズルの先端を撮影するイメージセンサと、イメージセンサが撮影した像を表示するモニタと、を有する。【選択図】図１
0003202343.tif 000002
【実用新案登録請求の範囲】
【請求項１】
膿栓を陰圧により吸着又は吸引して除去する膿栓クリーナであって、
前記膿栓を陰圧により吸着又は吸引する膿栓吸引システムと、
前記膿栓を目視確認するための内視鏡システムと、
を備える膿栓クリーナ。
【請求項２】
前記膿栓吸引システムは、
先端で膿栓を吸着又は吸引する吸着ノズルと、
該吸着ノズルの他端に一端が連結するカテーテル吸引管と、
該カテーテル吸引管の他端に一端が連結する吸引ホースと、
該吸引ホースの他端に連結する陰圧発生装置と、
を有する、請求項１に記載の膿栓クリーナ。
【請求項３】
前記吸着ノズルは、前記先端に脱着可能な吸着ノズルアタッチメントを有する、請求項２に記載の膿栓クリーナ。
【請求項４】
前記カテーテル吸引管は、吸引物と吸引空気とを分離するミストキャッチャを有する、請求項２又は３に記載の膿栓クリーナ。
【請求項５】
前記ミストキャッチャは、超高分子量ポリエチレン・セルロースガム製フィルタを有する、請求項４に記載の膿栓クリーナ。
【請求項６】
前記陰圧発生装置は、家庭用電気掃除機である、請求項２〜５のいずれか一項に記載の膿栓クリーナ。
【請求項７】
前記内視鏡システムは、
前記吸着ノズルの先端を照明する照明灯と、
前記吸着ノズルの先端を撮影するイメージセンサと、
前記イメージセンサが撮影した像を表示するモニタと、
を有する、請求項２〜６のいずれか一項に記載の膿栓クリーナ。
【請求項８】
前記照明灯は、ＬＥＤである、請求項７に記載の膿栓クリーナ。
【請求項９】
前記イメージセンサは、ＣＣＤイメージセンサ又はＣＭＯＳイメージセンサである、請求項７又は８に記載の膿栓クリーナ。
【請求項１０】
前記モニタは、パーソナルコンピュータ、スマートフォン、タブレット端末、又は携帯電話の表示部のいずれかである、請求項７〜９のいずれか一項に記載の膿栓クリーナ。
【考案の詳細な説明】
【技術分野】
【０００１】
本考案は、扁桃腺窩に溜まった膿栓を吸着して取り除くために用いられる膿栓吸着クリーナに関するものである。
【背景技術】
【０００２】
扁桃腺窩は、喉の奥の左右にある口蓋扁桃の表面の小さな穴であり、細菌の死骸等のカスが溜まって膿栓ができることがある。膿栓は、それ自体が病原になることはないが、口臭の原因となることが多い。そこで、多くの者（以下、患者という。）は、耳鼻咽喉科等の医療機関で膿栓を除去している。しかしながら、医療機関で膿栓を除去するには、通院の時間、費用等の大きな負担が生じる。
【０００３】
一方、患者の一部は、自ら、例えば綿棒を使って膿栓を除去している。しかし、咽喉内の粘膜を傷つけ、感染症を引き起こすおそれがある。そこで、特許文献１では、膿栓を吸引して除去することができる膿栓吸引具が開示されている。
【０００４】
しかしながら、口蓋扁桃の上下左右全域で膿栓が形成されるため、鏡等を使ったとしても膿栓を目視確認するのは困難であり、当該膿栓吸引具を用いて膿栓を吸引除去するのはやはり困難であった。また、当該膿栓吸引具は、手動で陰圧を発生して膿栓を吸引することから吸引力が不安定であり、膿栓を確実に吸引することは容易でなかった。
【先行技術文献】
【特許文献】
【０００５】
【特許文献１】実用新案登録第３１３７６０９号公報
【考案の概要】
【考案が解決しようとする課題】
【０００６】
本考案は、患者が、自ら、簡便に膿栓を吸着又は吸引除去することができる膿栓クリーナを提供することを課題とする。
【課題を解決するための手段】
【０００７】
本考案において、膿栓を陰圧により吸着又は吸引して除去する膿栓クリーナは、
前記膿栓を陰圧により吸着又は吸引する膿栓吸引システムと、
前記膿栓を目視確認するための内視鏡システムと、
を備える膿栓クリーナである。
【０００８】
本考案において、膿栓クリーナは、内視鏡システムにより膿栓を目視することができ、膿栓吸引システムにより簡便に膿栓を吸着又は吸引して除去することができる。
【０００９】
また、本考案において、膿栓吸引システムは、
先端で膿栓を吸着又は吸引する吸着ノズルと、
該吸着ノズルの他端に一端が連結するカテーテル吸引管と、
該カテーテル吸引管の他端に一端が連結する吸引ホースと、
該吸引ホースの他端に連結する陰圧発生装置と、
を有する、膿栓クリーナである。
【００１０】
本考案による膿栓クリーナは、陰圧発生装置により発生させた陰圧を利用することにより、確実に膿栓を吸着又は吸引することができる。
【００１１】
また、本考案の膿栓クリーナは、前記吸着ノズルの前記先端に脱着可能な吸着ノズルアタッチメントを有する膿栓クリーナである。
【００１２】
本考案による膿栓クリーナによれば、膿栓が形成され始めの初期段階から慢性化状態に至った段階までの、様々な大きさ、形状、又は硬さの膿栓や、口蓋扁桃の上下左右全域に位置する膿栓を吸着又は吸引して除去可能である。
【００１３】
また、本考案に係る膿栓クリーナは、前記カテーテル吸引管に、吸引物と吸引空気とを分離するミストキャッチャを有する膿栓クリーナである。
【００１４】
本考案に係る膿栓クリーナによれば、膿栓を吸着又は吸引する際に、吸引される唾液、痰又は膿等を吸引空気から分離することができる。また、吸着ノズルの内径よりも小さな膿栓が吸引されてしまった場合であっても、ミストキャッチャにて捕獲することができる。これらにより、唾液、痰、膿、小さな膿栓等が陰圧発生装置に吸引されたために発生する故障を防止することや、膿等に含まれる細菌による汚染を防止することができる。
【００１５】
また、本考案に係る膿栓クリーナは、前記ミストキャッチャが超高分子量ポリエチレン・セルロースガム製フィルタである膿栓クリーナである。
【００１６】
本考案に係るミストキャッチャにより、吸引物を吸引空気から確実に分離することができる。
【００１７】
また、本考案に係る膿栓クリーナは、前記陰圧発生装置は、家庭用電気掃除機である、膿栓クリーナである。
【００１８】
本考案によれば、前記陰圧発生装置が、家庭用掃除機を利用することから、患者が所有する機器を活用することができる。
【００１９】
また、本考案に係る膿栓クリーナは、前記内視鏡システムは、
前記吸着ノズルの先端を照明する照明灯と、
前記吸着ノズルの先端を撮影するイメージセンサと、
前記イメージセンサが撮影した像を表示するモニタと、
を有する膿栓クリーナである。
【００２０】
本考案の膿栓クリーナの内視鏡システムにより、容易に膿栓を目視によってその大きさ、形状、硬さ並びに位置を確認しながら、吸着又は吸引して除去することができる。
【００２１】
また、本考案に係る膿栓クリーナは、前記照明灯がＬＥＤである、膿栓クリーナである。
【００２２】
本考案に係る膿栓クリーナの照明灯によれば、十分な光量の照明をすることができるとともに、膿栓が白色、黄色等様々な色を呈していても、適切な色の光で照明することができ、容易に膿栓を目視確認することができる。
【００２３】
また、本考案に係る膿栓クリーナは、前記イメージセンサがＣＣＤイメージセンサ又はＣＭＯＳイメージセンサである、膿栓クリーナである。
【００２４】
本考案によれば、ＣＣＤイメージセンサ又はＣＭＯＳイメージセンサは、小型で高感度のイメージセンサであることから、狭隘な口腔内であっても、明瞭な像を得ることができる。
【００２５】
また、本考案に係る膿栓クリーナは、前記モニタは、パーソナルコンピュータ、スマートフォン、タブレット端末、又は携帯電話の表示部のいずれかである膿栓クリーナである。
【００２６】
本考案によれば、前記モニタが、パーソナルコンピュータ、スマートフォン、タブレット端末又は携帯電話の表示部のいずれかを利用することから、患者が所有する機器を活用することができる。
【考案の効果】
【００２７】
本考案による膿栓クリーナによれば、患者が、これを用いて、自ら、膿栓を簡便に除去することができる。
【図面の簡単な説明】
【００２８】
【図１】図１は、第1の実施形態に係る膿栓クリーナの構成を示すブロック図である。
【図２】図２は、吸着システムの先端部を示す模式構成図である。
【図３】図３は、吸着ノズルと照明付き内視鏡の先端部を示す正面図である。
【図４】図４は、各種吸着ノズルアタッチメントを示す平面図である
【考案を実施するための形態】
【００２９】
以下、本考案の実施形態を説明する。
【００３０】
（第１の実施形態）
図１は、第１の実施形態に係る膿栓クリーナ１の構成を示す。膿栓クリーナ１は、膿栓吸着システム２及び内視鏡システム３を備える。
【００３１】
膿栓吸着システム２は、先端部で膿栓を吸着する吸着ノズル２１と、吸着ノズル２１にカテーテル吸引管２３及び吸引ホース２４を介して連結される陰圧発生装置２６と、からなる。
【００３２】
吸着ノズル２１は、口腔内の粘膜に直接接触することから、金属アレルギー予防、並びに、吸着ノズル２１が口腔内の粘膜に接したときに及ぼす冷感を防止するために、非金属の材質であることが好ましい。特に、抗菌性並びに柔軟性に富むシリコン樹脂が好適である。
【００３３】
膿栓の初期の形成段階から慢性化状態に至った段階では、その大きさ、形状、硬さ、並びに形成位置が多様であるため、吸着ノズル２１の先端部は、その大きさ等に対応すべく、脱着可能な吸着ノズルアタッチメント（以下単に、「アタッチメント」ともいう。）２２が取り付けられている。膿栓形成の初期段階の膿栓が米粒程度（直径２ｍｍ程度）の大きさである場合には、図４の（１）に示したアタッチメント２２の先端を絞った形状のものを装着して用いる。また、膿栓が成長し、外形が４〜５ｍｍ程度のまで達した場合には、図４の（２）に示した先端が直管状のアタッチメント２２を装着して用いる。長期慢性化により、更に膿栓が成長し、その外形が８〜１０ｍｍ程度に達した場合には、図４の（４）に示した先端がラッパ状のアタッチメント２２を装着して用いる。一方、膿栓が咽喉から離れた位置の口蓋扁桃において成長した場合には、直管状のアタッチメント２２では、吸着除去できないことから、図４の（３）に示した湾曲したアタッチメント２２を装着して用いる。
【００３４】
吸着ノズル２１の他端にはカテーテル吸引管２３の一端が連結され、更に、カテーテル吸引管２３の他端には、吸引ホース２４が連結されている。
【００３５】
吸引ホース２４の途中には、着脱可能なミストキャッチャ２５が取り付けられている。ミストキャッチャ２５は、吸引された吸引管の内径よりも小さな膿栓や吸引物（膿、痰、唾液等）が吸引空気と共に、陰圧発生装置２６に吸引されて陰圧発生装置２６の故障原因となることを防止するとともに、細菌などによる汚染を防止している。なお、口腔内には、膿栓とともに、唾液・痰・膿が存在しており、膿栓だけを選択的に吸着・吸引することは難しく、意図せずに唾液等を多量に 吸引した場合には、ミストキャッチャ２５にフィルタとして、超高分子量ポリエチレン・セルロースガム製フィルタを有すると、ミスト状となった 唾液等を確実に分離除去でき、陰圧発生装置２６に吸引されて陰圧発生措置２６の故障原因となることを防止できる。
【００３６】
陰圧発生装置２６には、陰圧発生源として電動式吸引ポンプを備えている。電動式吸引ポンプとしては、例えば、交流電源のピストン式ポンプ、直流電源のダイアフラム式ポンプ等が使用可能である。陰圧発生装置により発生する陰圧は、−８５ｋPa以下であるが、安全上なるべく小さな陰圧で吸引することが好ましく、−３０ｋPa以下で使用することが好ましい。一方、陰圧が小さすぎると、膿栓を吸着することができなくなるので、−５ｋPa以上であることが好ましく、−２２〜−８ｋPaで使用することがより好ましい。なお、陰圧発生装置２６には、口蓋扁桃等に膿栓が付着している状態に応じて、適当な陰圧で膿栓を吸引できるように、陰圧を調整できる陰圧調整機能を備えている。
【００３７】
一方、内視鏡システム３は、照明付き内視鏡３１、内視鏡ケーブル３２、ＵＳＢケーブルコネクタ３３及びモニタ３４を備える。
【００３８】
照明付き内視鏡３１には、その先端に、口腔内を観察するイメージセンサとイメージセンサの周囲に配置され口腔内を照明する１又は２以上の照明灯３６を備える。イメージセンサとしては、口腔内の空間が限られていることから、小型で高感度のイメージセンサであることが好ましく、例えば、ＣＣＤイメージセンサ又はＣＭＯＳイメージセンサであることが好ましい。但し、小型で高感度のイメージセンサであればよく、ＣＣＤイメージセンサ又はＣＭＯＳイメージセンサに限られない。また、照明灯３６としては、小型で十分な光量が得られ、また、膿栓が呈する白色、黄色等様々な色を適切な色の光で照明し、膿栓の目視確認を容易とする光源である、ＬＥＤであることが好ましい。
【００３９】
一方、口腔内は、空間の大きさが限られており、内視鏡は、口腔内を容易に観察することができるように、焦点距離が３０ｍｍ以下、望ましくは２０ｍｍ以下であることが好ましい。照明付き内視鏡３１は、図２に示すように、照明付き内視鏡３１の先端の位置が、吸着ノズル２１の先端の位置から、照明付き内視鏡３１の焦点距離相当離れた位置に配置されている。
【００４０】
また、図３に示すように、照明付き内視鏡３１は、吸着ノズル２１及びカテーテル吸引管２３とともに、フレキシブル材４に装着され、防護カバー５により一体化されている。なお、フレキシブル材としては、膿栓の位置や咽喉内の全域を観察することができるように、自在に変形することができる、例えば、アルミ線材、銅線材が適している。また、防護カバー５としては、吸着ノズル２１及びカテーテル吸引管２３とともに、フレキシブル材４を密着させて固定可能で、かつ、絶縁性がある、ポリオレフィン製の熱収縮性樹脂であることが望ましい。
【００４１】
照明付き内視鏡３１の他端には、内視鏡ケーブル３２に連結され、内視鏡ケーブル３２は、ＵＳＢケーブルコネクタ３３を介してモニタ３４に連結されている。なお、照明付き内視鏡３１への照明用電源は、モニタ３４よりＵＳＢケーブルコネクタ３３と内視鏡ケーブル３２を介して供給される低電圧電源を利用し、万が一感電事故が発生した場合であっても患者に危害が及ばないように配慮している。
【００４２】
以下、患者が膿栓クリーナ１を用いて膿栓を除去する手順を説明する。
【００４３】
先ず、照明付き内視鏡システム３のＵＳＢケーブルコネクタ３３をモニタ３４に接続した後、陰圧発生装置２６の電源を入れ、照明及び吸引が正常に作動していることを確認し、適宜、陰圧を陰圧調整機能によって調整する。その後、患者自らが、カテーテル吸引管２３を手で保持し、口腔内に吸着ノズル２１を挿入する。そして、口腔内の状況をモニタ３４に映し出された映像を目視して、膿栓の位置や大きさなどを観察しながら、吸着ノズル２１の先端を膿栓に当接し、陰圧調整機能により吸引圧を徐々に上げて、吸着ノズル２１の先端に膿栓を吸着させ、膿栓を口蓋扁桃から除去する。このとき、膿栓の位置等によっては、吸着ノズル２１の先端が膿栓の位置に確実に達する様に、カテーテル吸引官２３を適宜手で変形することが好ましい。また、モニタ３４により目視観察することにより、膿栓の位置や大きさ等によっては、膿栓を吸着又は吸引するのに適した吸着ノズルアタッチメント２２を適宜選択し、交換して使用すると、膿栓を吸着又は吸引して除去することが容易となる。また、膿栓の大きさによっては、モニタ３４に映し出される拡大映像の倍率を変更することにより、目視観察が容易となる。膿栓が極小でない限り、内視鏡の拡大倍率が１０〜５０倍であれば、膿栓の特定に適し、拡大倍率２０倍が特に好ましい。
【００４４】
膿栓を口蓋扁桃から除去し口腔外に回収した後、陰圧調整機能により陰圧発生を停止（吸引圧をゼロに）し、再度吸着ノズル２１を口腔内に挿入して、膿栓除去後の口蓋扁桃の状態をモニタ３４にて目視観察する。膿栓除去処置が完了していることを確認の上、吸着ノズル２１を口腔内より取り出し、陰圧発生装置２６の電源を切る。
【００４５】
なお、膿栓の除去処置終了後には、吸着ノズルアタッチメント２２、吸着ノズル２１、カテーテル吸引管２３、吸入ホース２４及び照明付き内視鏡３１を水洗・消毒することが、衛生上好ましい。
【００４６】
（第２の実施形態）
第２の実施形態に係る膿栓クリーナ１は、第１の実施形態と同様に、図１に示すように、膿栓吸着システム２及び内視鏡システム３を備える。
【００４７】
また、第２の実施形態に係る膿栓吸着システム２は、第１の実施形態と同様に、先端部で膿栓を吸着する吸着ノズル２１と、吸着ノズル２１にカテーテル吸引管２３及び吸引ホース２４を介して連結される陰圧発生装置２６からなり、吸着ノズル２１、カテーテル吸引管２３及び吸引ホース２４は、第一の実施形態と同様の構成である。
【００４８】
第２の実施形態では、吸引ホース２４にアダプターホースと陰圧調整器を介して、家庭用の吸引ファン、家庭用電気掃除機に接続し、陰圧発生装置２６として用いられる。
【００４９】
第２の実施形態の内視鏡システム３は、第１の実施形態の内視鏡システム３と同様である。また、第２の実施形態の操作方法は第１の実施形態と同様である。
【産業上の利用可能性】
【００５０】
本考案に係る膿栓クリーナは、患者が自らにより簡便に膿栓除去処置を行うことができる。
【符号の説明】
【００５１】
１…膿栓クリーナ
２…膿栓吸着システム
３…照明付き内視鏡システム
４…フレキシブル材
５…防護カバー
２１…吸着ノズル
２２…吸着ノズルアタッチメント
２３…カテーテル吸引管
２４…吸引ホース
２５…ミストキャッチャ
２６…陰圧発生装置
３１…照明付き内視鏡
３２…内視鏡ケーブル
３３…ＵＳＢケーブルコネクタ
３４…モニタ
３５…イメージセンサ
３６…照明灯
【図１】
0003202343.tif 000003
【図２】
0003202343.tif 000004
【図３】
0003202343.tif 000005
【図４】
0003202343.tif 000006